(57)【要約】【課題】操作性、運搬性に優れステップボルトの着脱を簡単に行うことができる安価に製造可能なステップボルト取付用アダプタを提供する。【解決手段】本発明のステップボルト取付用アダプタ１は、鉄骨構造物にステップボルトを取付けるためのアダプタであって、鉄骨構造物に使用されたボルトに螺合する第１雌ねじ部１１とステップボルトの雄ねじ部が螺合する第２雌ねじ部１５とを備え、これらが一直線に配置されてなる。前記第１雌ねじ部１１と前記第２雌ねじ部１５との間に、前記ボルト及び／又はステップボルトの突出を阻止するストッパーとして機能する仕切り部２１を設けてもよい。【選択図】図２
2014096955.tif 000002
【特許請求の範囲】
【請求項１】
鉄骨構造物にステップボルトを取付けるためのアダプタであって、
鉄骨構造物に使用されたボルトに螺合する第１雌ねじ部とステップボルトの雄ねじ部が螺合する第２雌ねじ部とを備え、これらが一直線に配置されてなることを特徴とするステップボルト取付用アダプタ。
【請求項２】
前記鉄骨構造物がアングル鉄塔であり、前記ボルトが搭脚を接続するボルトであることを特徴とする請求項１に記載のステップボルト取付用アダプタ。
【請求項３】
前記第１雌ねじ部と前記第２雌ねじ部とはねじ径が異なり、前記第１雌ねじ部と前記第２雌ねじ部との間に、前記ボルト及び／又はステップボルトの突出を阻止するストッパーが設けられていることを特徴とする請求項１又は２に記載のステップボルト取付用アダプタ。
【請求項４】
前記第１雌ねじ部として前記ボルトに螺合するナットが、前記第２雌ねじ部としてステップボルトの雄ねじ部が螺合するナットが用いられ、これらナットが接合され形成されていることを特徴とする請求項１から３のいずれか１に記載のステップボルト取付用アダプタ。
【発明の詳細な説明】
【技術分野】
【０００１】
本発明は、鉄塔の搭脚などにステップボルトを取付けるためのステップボルト取付用アダプタに関する。
【背景技術】
【０００２】
鉄塔、鉄骨構造物などの昇降には、ステップボルト（足場ボルト）が使用される。鉄塔などにおいて地上から２ｍ以内には、安全上の観点からステップボルトが常設されておらず、昇搭する際には作業員がステップボルトを持参し、搭脚などに固定し、作業終了後は撤去する必要がある。
【０００３】
一般的なステップボルトは、作業者が足を載せるステップ部と塔脚等に固定するためのボルト部（雄ねじ部）とを備え、塔脚等に開けられた通孔にボルト部を挿入し、該ボルト部にナットを掛け搭脚等に固定し使用する。このようなステップボルトは、着脱に時間を要するとして、着脱を簡単に行うことができるステップボルト、ステップボルト支持装置が提案されている（例えば特許文献１、特許文献２参照）。
【０００４】
特許文献１に記載のステップボルトは、ボルト部の先端側に出没自在な抜け止め用の爪を備え、この爪が搭脚に係止することでステップボルトが固定されるため着脱が容易となる。特許文献２に記載のステップボルト支持装置は、直角方向に配置した２つの係止具の凹部を搭脚のアングル材に係止させることで固定し、この支持装置にステップボルトを取付け可能としたものである。
【先行技術文献】
【特許文献】
【０００５】
【特許文献１】特開２００６−６３６０５号公報
【特許文献２】特開２００９−２７８８５３号公報
【発明の概要】
【発明が解決しようとする課題】
【０００６】
特許文献１に記載のステップボルトは、搭脚に通孔がない場合は使用することができない。また抜け止め用の爪の製作、さらにはステップボルト本体に抜け止め用の爪を取付けるための加工が必要であり、従来のステップボルトに比較して製作費が高くなる。
【０００７】
特許文献２に記載のステップボルト支持装置は、搭脚にステップボルトを固定するための通孔を設ける必要がないと言う点で、ステップボルトの固定を簡単に行うことができるが、着脱操作自体には時間を要する。さらに構造上、搭脚の接合部には取付けることができない。また構成部品数が多いため重量が重くなり、運搬上好ましくない。
【０００８】
特許文献１及び特許文献２以外にも着脱性、操作性、運搬性などを改良したステップボルトが多く提案されているが、いずれのステップボルトも十分とは言い難く改善の余地がある。
【０００９】
本発明の目的は、操作性、運搬性に優れステップボルトの着脱を簡単に行うことができる安価に製造可能なステップボルト取付用アダプタを提供することである。
【課題を解決するための手段】
【００１０】
本発明は、鉄骨構造物にステップボルトを取付けるためのアダプタであって、鉄骨構造物に使用されたボルトに螺合する第１雌ねじ部とステップボルトの雄ねじ部が螺合する第２雌ねじ部とを備え、これらが一直線に配置されてなることを特徴とするステップボルト取付用アダプタである。
【００１１】
本発明によれば、ステップボルト取付用アダプタは、鉄骨構造物に使用されたボルトに螺合し使用するので、鉄骨構造物に通孔がない場合であっても使用することができる。さらに鉄骨構造物に使用されたボルトへの取付け、ステップボルトの取付けは、ねじ込みにより行うことができるので操作性に優れ、着脱が容易である。またステップボルト取付用アダプタは、ナット様の部材で小さいため運搬も容易であり、製造も簡単に行うことができる。
【００１２】
また本発明において、前記鉄骨構造物がアングル鉄塔であり、前記ボルトが搭脚を接続するボルトであることを特徴とする。
【００１３】
また本発明のステップボルト取付用アダプタにおいて、前記第１雌ねじ部と前記第２雌ねじ部とはねじ径が異なり、前記第１雌ねじ部と前記第２雌ねじ部との間に、前記ボルト及び／又はステップボルトの突出を阻止するストッパーが設けられていることを特徴とする。
【００１４】
本発明によれば、ストッパーが設けられているので、ボルト又はステップボルトが相手側雌ねじ部へ侵入することを阻止することができる。例えば第１雌ねじ部が第２雌ねじ部に比較して大きくても、ステップボルトが第１雌ねじ部に突出することはない。このためステップボルト取付用アダプタを使用するとき、鉄骨構造物に使用されたボルト及びステップボルトの取付け順を何ら意識する必要がなく使い勝手がよい。
【００１５】
また本発明のステップボルト取付用アダプタは、前記第１雌ねじ部として前記ボルトに螺合するナットが、前記第２雌ねじ部としてステップボルトの雄ねじ部が螺合するナットが用いられ、これらナットが接合され形成されていることを特徴とする。
【００１６】
本発明によれば、ステップボルト取付用アダプタは、鉄骨構造物に使用されたボルトに螺合するナットとステップボルトの雄ねじ部に螺合するナットとを溶接付して製作することもできるので安価に製作することができる。
【発明の効果】
【００１７】
本発明のステップボルト取付用アダプタは、操作性、運搬性に優れステップボルトの着脱を簡単に行うことができ、さらに安価に製造可能である。
【図面の簡単な説明】
【００１８】
【図１】本発明の第１実施形態のステップボルト取付用アダプタ１の斜視図である。
【図２】図１のステップボルト取付用アダプタ１の半断面図である。
【図３】図１のステップボルト取付用アダプタ１の使用例であり、ステップボルト取付用アダプタ１を介してステップボルト４１をアングル鉄塔５１に取付けた状態を示す図である。
【図４】本発明の第２実施形態のステップボルト取付用アダプタ２の半断面図である。
【図５】本発明の第３実施形態のステップボルト取付用アダプタ３の半断面図である。
【図６】本発明の第４実施形態のステップボルト取付用アダプタ４の半断面図である。
【発明を実施するための形態】
【００１９】
図１は、本発明の第１実施形態のステップボルト取付用アダプタ１の斜視図、図２は、ステップボルト取付用アダプタ１の半断面図、図３は、ステップボルト取付用アダプタ１の使用例であり、ステップボルト取付用アダプタ１を介してステップボルト４１をアングル鉄塔５１に取付けた状態を示す図である。
【００２０】
ステップボルト取付用アダプタ１は、作業者が足を載せるステップ部４３とステップ部４３に続き設けられたボルト部４５とを備えるステップボルト４１をアングル鉄塔５１に取付けるためのアダプタである。ステップボルト取付用アダプタ１は、鋼製材からなる六角形の高ナット様部材であり、一方側にアングル鉄塔５１の搭脚５３を連結するボルト５５の頭部５７が螺合する第１雌ねじ部１１、他方側にステップボルト４１のボルト部４５が螺合する第２雌ねじ部１５を有する。
【００２１】
第１雌ねじ部１１の長さＬ１は、ボルト５５の頭部５７が十分に螺合し、ボルト５５にステップボルト取付用アダプタ１をしっかりと固定することができる長さを有する。ここでボルト５５の頭部５７とは、図３に見られるようにナット６１から突出した雄ねじ部を言う。第１雌ねじ部１１の長さＬ１を例示すると、アングル鉄塔５１の搭脚５３を連結するボルト５５の頭部５７の長さは、ねじ径（呼び径）が２４ｍｍの場合、通常１０〜２０ｍｍ程度であるので、第１雌ねじ部１１の長さＬ１は２０ｍｍ程度とすればよい。なお、ボルト５５の頭部５７の長さが非常に長い場合、例えば５０ｍｍ以上あるような場合であっても、第１雌ねじ部１１の長さＬ１が２０ｍｍ程度あれば、ボルト５５にステップボルト取付用アダプタ１をしっかりと固定することができる。
【００２２】
第２雌ねじ部１５の長さＬ２も３０ｍｍ程度あればよい。一般的なステップボルト４１のボルト部４５のねじ径は１６ｍｍであり、ボルト部４５の長さは、短いもので３０ｍｍ程度、長いもので８０ｍｍ程度である。ステップボルト４１のボルト部４５を３０ｍｍ程度螺合させることができれば、ステップボルト取付用アダプタ１にステップボルト４１をしっかりと固定することができる。
【００２３】
要すれば、第１雌ねじ部１１の長さＬ１は、ステップボルト取付用アダプタ１をボルト５５にしっかりと固定することができ、第２雌ねじ部１５の長さＬ２は、ステップボルト４１をしっかりと固定することができる長さがあればよい。固定のみを考えれば第１雌ねじ部１１及び第２雌ねじ部１５は、長い方が好ましいが、長くなるに従って重量が重くなるので、運搬性を考えれば必要以上に長くすべきではない。
【００２４】
第１雌ねじ部１１と第２雌ねじ部１５とは連通しておらず、第１雌ねじ部１１と第２雌ねじ部１５との境界部には、仕切り部２１が設けられている。この仕切り部２１は、ステップボルト４１のねじ径（呼び径）が、ボルト５５のねじ径（呼び径）と比較して小さいため、ボルト部４５が第２雌ねじ部１５よりも長いステップボルト４１の先端が第１雌ねじ部１１側に突出することを防止するためであり、仕切り部２１はストッパーとして機能する。仕切り部２１は、ステップボルト４１の先端が第１雌ねじ部１１側に突出することを防止することができればよいため、厚さは１ｍｍ程度でよい。
【００２５】
ステップボルト取付用アダプタ１の高さＨは、通常の六角ナットと同様に考えればよい。通常の六角ナットの高さは、ねじ径の２倍であるから、第１雌ねじ部１１のねじ径が２４ｍｍであればステップボルト取付用アダプタ１の高さＨは、４８ｍｍとなる。ステップボルト取付用アダプタ１の外形形状は、六角形でなくてよいが、六角形とすることで通常の工具で簡単にねじ込むことができ使い勝手がよい。
【００２６】
上記のようなステップボルト取付用アダプタ１の大きさの一例を示せば、高さが４８ｍｍ、全長が５０ｍｍ程度であり、中心部には雌ねじが設けられているので、重量も比較的軽く運搬も容易である。
【００２７】
ステップボルト取付用アダプタ１は、六角柱の部材にねじ加工し、第１雌ねじ部１１と第２雌ねじ部１５とを設けることで簡単に製作することができる。さらに後述の第４実施形態のステップボルト取付用アダプタ４と同様に、第１雌ねじ部１１のねじ径を有する六角ナット様部材２５、第２雌ねじ部１５のねじ径を有する六角ナット様部材２７及び仕切り部２１となる六角板２９を準備し、これらを溶接して製作してもよい。
【００２８】
ステップボルト取付用アダプタ１を使用するときは、図３に示すようにアングル鉄塔５１の塔脚（主柱材）５３に取付けられたボルト５５の頭部５７にステップボルト取付用アダプタ１を取付け、ステップボルト取付用アダプタ１にステップボルト４１を取付ければよい。なお、先にステップボルト取付用アダプタ１にステップボルト４１を取付け、それを塔脚５３に取付けられたボルト５５の頭部５７に取付けてもよいことは言うまでもない。
【００２９】
以上のようにステップボルト取付用アダプタ１を使用すれば、アングル鉄塔５１に通孔がなくてもステップボルト４１を取付けることができるので使い勝手がよい。また取り扱いが容易で、さらに小型であるため運搬性にも優れる。また構造が簡単であるので安価に製造することができる。
【００３０】
ステップボルト取付用アダプタ１をアングル鉄塔５１に取付けるためには、第１雌ねじ部１１のねじ径をアングル鉄塔５１の塔脚５３に取付けられたボルト５５のねじ径に合致させる必要がある。アングル鉄塔５１の大きさ等によりアングル鉄塔５１の塔脚５３に取付けられたボルト５５のねじ径が異なることが予想されるため、予め第１雌ねじ部１１のねじ径の大きさが異なる３種類程度のステップボルト取付用アダプタ１を準備しておけばよい。特殊なステップボルト４１を使用しない限りステップボルト４１のねじ径は一定であるので、第２雌ねじ部１５の大きさが異なるステップボルト取付用アダプタ１を準備しなくてもよい。
【００３１】
図４は、本発明の第２実施形態のステップボルト取付用アダプタ２の半断面図である。図１〜図３に示す第１実施形態のステップボルト取付用アダプタ１と同一の構成には、同一の符号を付して説明を省略する。
【００３２】
ステップボルト取付用アダプタ２は、第１実施形態のステップボルト取付用アダプタ１と同様に、鋼製材からなる六角形の高ナット様部材である。ステップボルト取付用アダプタ２とステップボルト取付用アダプタ１とは、仕切り部２３の形態を除けば、構成、作用効果とも同じである。ステップボルト取付用アダプタ１に設けられた仕切り部２１が、円板状であり第１雌ねじ部１１と第２雌ねじ部１５との間を完全に遮断するのに対して、ステップボルト取付用アダプタ２に設けられた仕切り部２３は、リング状であり、第１雌ねじ部１１と第２雌ねじ部１５との間が連通する。
【００３３】
仕切り部２３は、仕切り部２１と同様に、ステップボルト４１のねじ径がボルト５５のねじ径よりも小さく、ボルト部４５が第２雌ねじ部１５よりも長いステップボルト４１の先端が第１雌ねじ部１１側に突出することを防止するためのストッパーであり、ステップボルト４１が第１雌ねじ部１１側に突出不能に設けられている。ステップボルト４１が第１雌ねじ部１１側に突出不能であれば、仕切り部２３の大きさ（リングの内径ｄ１）は特に問われない。第１雌ねじ部１１及び第２雌ねじ部１５の加工との関係で、仕切り部２３の中心に貫通孔が形成される場合は、その貫通孔を利用し仕切り部２３とすることもできる。
【００３４】
図５は、本発明の第３実施形態のステップボルト取付用アダプタ３の半断面図である。図１〜図３に示す第１実施形態のステップボルト取付用アダプタ１、図４に示す第２実施形態のステップボルト取付用アダプタ２と同一の構成には、同一の符号を付して説明を省略する。
【００３５】
ステップボルト取付用アダプタ３は、第１実施形態のステップボルト取付用アダプタ１、第２実施形態のステップボルト取付用アダプタ２と同様に、鋼製材からなる六角形の高ナット様部材であるが、ステップボルト取付用アダプタ１、２と異なり仕切り部２１、２３を有していない。この点を除けば他の構成は、ステップボルト取付用アダプタ１、２と基本的に同一である。仕切り部２１、２３は、ステップボルト４１の先端が第１雌ねじ部１１側に突出することを防止する点において設けることが好ましいが、以下に説明するように必ずしも設ける必要はない。
【００３６】
ステップボルト取付用アダプタ３は、第１雌ねじ部１１と第２雌ねじ部１５とのねじ径が異なるので、第１雌ねじ部１１と第２雌ねじ部１５との境界に段差部１９が形成される。このようなステップボルト取付用アダプタ３をボルト５５に取付けると、ボルト５５の頭部先端５９が第１雌ねじ部１１の先端部１３に達した時点でステップボルト取付用アダプタ３のボルト５５への取付けが完了する。このような状態でステップボルト４１を取付けると、ボルト５５の頭部先端５９が、ストッパーとして機能するためステップボルト４１が第１雌ねじ部１１側に突出することはない。
【００３７】
ステップボルト４１のボルト部４５が第２雌ねじ部１５に比較して長い場合、ステップボルト４１を先にステップボルト取付用アダプタ３に取付けると、ステップボルト４１が第１雌ねじ部１１側に突出することとなるが、上記のように先にステップボルト取付用アダプタ３をボルト５５に取付けるとステップボルト４１の第１雌ねじ部１１側への突出を防止することができる。
【００３８】
ボルト５５の頭部５７が第１雌ねじ部１１に比較して短い場合、先にステップボルト取付用アダプタ３をボルト５５に取付けても、ステップボルト４１が第１雌ねじ部１１側へ少し突出するが、ここで重要なことは、ステップボルト取付用アダプタ３をボルト５５に、ステップボルト取付用アダプタ３にステップボルト４１をしっかりと固定できることであり、ステップボルト取付用アダプタ３をボルト５５にしっかりと固定することができればステップボルト４１が第１雌ねじ部１１側へ突出しても問題ない。
【００３９】
以上のように仕切り部２１、２３を備えないステップボルト取付用アダプタ３は、取付け操作（順番）において制約を受けるが、仕切り部２１、２３を備えないステップボルト取付用アダプタ３であっても、ステップボルト取付用アダプタ３を介してアングル鉄塔５１にステップボルト４１をしっかりと固定することができる。なお、第１雌ねじ部１１と第２雌ねじ部１５とのねじ径が同一で、第１雌ねじ部１１と第２雌ねじ部１５との境界に段差部１９が形成されない場合には、仕切り部２１、２３を設けた方がよいであろう。
【００４０】
図６は、本発明の第４実施形態のステップボルト取付用アダプタ４の半断面図である。図１〜図３に示す第１実施形態のステップボルト取付用アダプタ１、図４に示す第２実施形態のステップボルト取付用アダプタ２、図５に示す第３実施形態のステップボルト取付用アダプタ３と同一の構成には、同一の符号を付して説明を省略する。
【００４１】
ステップボルト取付用アダプタ４は、ステップボルト取付用アダプタ１とほぼ同じ構成であり、作用効果も同じであるが、外形形状が異なる。ステップボルト取付用アダプタ１では、外観全体が１つの六角柱で高ナット様の形状を有するが、ステップボルト取付用アダプタ４は、２つの大きさの異なる六角ナット様の部材及び薄い六角板が接合され形成されており、形状が異なる。
【００４２】
第１雌ねじ部１１を有する六角ナット様部材２５は、第１雌ねじ部１１のねじ径に対応した六角ナットと同じ大きさ（高さ、長さ）、同じ形状となっている。一方、第２雌ねじ部１５を有する六角ナット様部材２７は、第２雌ねじ部１５のねじ径に対応した六角ナットと同じ高さ、同じ形状となっているが、長さは通常の六角ナットよりも長くなっている。薄い六角板２９は、外形寸法が、第１雌ねじ部１１を有する六角ナット様部材２５と同じであり、厚さは、１ｍｍ程度である。この六角板２９は、ストッパーとして機能する。
【００４３】
以上のようなステップボルト取付用アダプタ４は、第１雌ねじ部１１のねじ径に対応した六角ナット、薄い六角板、及び所定の長さに切断した第２雌ねじ部１５のねじ径に対応した高ナットを溶接により固定して形成してもよい。このようなステップボルト取付用アダプタ４は、ステップボルト取付用アダプタ１と同様に十分な強度を有する。外形に段差があるが、外形は六角形状であるので通常の工具を使用することが可能であり、着脱も容易である。ステップボルト取付用アダプタ４は、通常の六角ナット及び高ナットを用いて製作することができるので、製作費が安価である。なお、薄い六角板２９は、ステップボルト取付用アダプタ２の仕切り部２３と同様に、中心部にステップボルト４１が貫通不能な貫通孔があってもよい。
【００４４】
以上、第１〜第４実施形態のステップボルト取付用アダプタ１、２、３、４を用いて説明したように本発明のステップボルト取付用アダプタは、操作性、運搬性に優れステップボルト４１の着脱を簡単に行うことができる。さらに安価に製造可能である。
【００４５】
ステップボルト取付用アダプタ１、２、３、４の変形例として、ステップボルト取付用アダプタ１、２、３、４とステップボルト４１とを一体化させ、第２雌ねじ部１５をなくし、第１雌ねじ部１１のみを設けるようにしてもよい。このようにすれば、ステップボルト取付用アダプタにステップボルトを取付ける手間が省ける。但し、既設のステップボルト、さらには一般的に市販されているステップボルトの使用を考えれば、ステップボルト取付用アダプタとステップボルトとは本発明の実施形態に示すような別体型がよいであろう。
【００４６】
上記実施形態では、ステップボルト取付用アダプタ１、２、３、４をアングル鉄塔５１に使用する例を示したが、本発明のステップボルト取付用アダプタ１、２、３、４は、使用先がアングル鉄塔５１に限定されるものではない。本発明のステップボルト取付用アダプタ１、２、３、４は、鉄骨構造物にボルトが取付けられていればそのような鉄骨構造物の昇搭に使用することができる。
【００４７】
また、上記実施形態において、ステップボルト取付用アダプタ１、２の仕切り部２１、２３、ステップボルト取付用アダプタ４の六角板２９は、ステップボルト４１が第１雌ねじ部１１側に突出することを防止するストッパーの役目を果たすことを説明したが、ボルト５５の径が、ステップボルト４１よりも小さい場合には、ボルト５５が第２雌ねじ部１５側に突出することを防止するストッパーの役目を果たす。
【符号の説明】
【００４８】
１、２、３、４  ステップボルト取付用アダプタ
１１  第１雌ねじ部
１５  第２雌ねじ部
２１  仕切り部
２３  仕切り部
２５  六角ナット様部材
２７  六角ナット様部材
２９  六角板
４１  ステップボルト
４３  ステップ部
４５  ボルト部
５１  アングル鉄塔
５３  塔脚（主柱材）
５５  ボルト
５７  ボルトの頭部
【図１】
2014096955.tif 000003
【図２】
2014096955.tif 000004
【図３】
2014096955.tif 000005
【図４】
2014096955.tif 000006
【図５】
2014096955.tif 000007
【図６】
2014096955.tif 000008